(57)【要約】【課題】  レシート用紙が再生紙であることを積極的に顧客にアピールすることができるようにする。【解決手段】  商品販売データ処理に基づく情報をレシート用紙に印字してレシートＲとして発行する商品販売データ処理装置に、レシート用紙に当該レシート用紙が再生紙である旨の再生紙情報６６を印字部に印字させる再生紙情報印字手段を設ける。これにより、再生紙情報６６が印字されたレシートＲが発行される。【選択図】    図８
2004303233.tif 000002
【特許請求の範囲】
【請求項１】
商品販売データ処理に基づく情報をレシート用紙に印字してレシートとして発行する商品販売データ処理装置において、
前記レシート用紙に当該レシート用紙が再生紙である旨の再生紙情報を印字部に印字させる再生紙情報印字手段を備えることを特徴とする商品販売データ処理装置。
【請求項２】
前記再生紙情報を印字するか否かを指定するための指定情報を取得する取得手段と、
取得した前記指定情報に基づいて前記再生紙情報を印字するか否かを判断する判断手段と、
を備え、
前記再生紙情報印字手段は、前記判断手段が前記再生紙情報を印字すると判断した場合に前記再生紙情報を印字することを特徴とする請求項１記載の商品販売データ処理装置。
【請求項３】
前記取得手段は、前記指定情報を入力可能な入力装置を用いて前記指定情報を取得することを特徴とする請求項２記載の商品販売データ処理装置。
【請求項４】
前記指定情報は、画像で表されており、
前記取得手段は、前記画像を光学的に読み取り可能な光学読取装置を用いて前記指定情報を取得することを特徴とする請求項２記載の商品販売データ処理装置。
【請求項５】
前記指定情報は、前記レシート用紙に一体に設けられた無線タグに記憶されており、
前記取得手段は、前記無線タグとの間で無線通信可能な通信装置を用いて前記指定情報を取得することを特徴とする請求項２記載の商品販売データ処理装置。
【請求項６】
前記指定情報は、前記レシート用紙を識別するための識別情報であることを特徴とする請求項２ないし５の何れか一記載の商品販売データ処理装置。
【請求項７】
前記再生紙情報印字手段は、前記再生紙情報を前記レシート用紙の商品販売データ処理に基づく情報が印字される面に印字することを特徴とする請求項１ないし６の何れか一記載の商品販売データ処理装置。
【請求項８】
前記再生紙情報の印字位置の指定を受け付ける印字位置受付手段を備え、
前記再生紙情報印字手段は、指定された印字位置に前記再生紙情報を印字することを特徴とする請求項１ないし７の何れか一記載の商品販売データ処理装置。
【請求項９】
前記再生紙情報印字手段は、前記商品販売データ処理に基づく情報と前記再生紙情報とを重ねて印字させることを特徴とする請求項１ないし６の何れか一記載の商品販売データ処理装置。
【請求項１０】
前記再生紙情報印字手段は、前記再生紙情報の印字色と、前記商品販売データ処理に基づく情報の印字色とを異ならせることを特徴とする請求項９記載の商品販売データ処理装置。
【請求項１１】
前記再生紙情報印字手段は、前記再生紙情報の印字濃度を、前記商品販売データ処理に基づく情報の印字濃度よりも薄くすることを特徴とする請求項９記載の商品販売データ処理装置。
【発明の詳細な説明】
【技術分野】
【０００１】
本発明は、レシートを発行する商品販売データ処理装置に関する。
【背景技術】
【０００２】
従来、ＥＣＲ（Electronic Cash Register：電子式キャッシュレジスタ）やＰＯＳ（Point Of Sales：販売時点管理）端末などの商品販売データ処理装置では、商品の取引における商品販売データ処理を実行し、その取引に係わる取引明細等をレシート用紙に印字してレシートとして発行している（例えば、特許文献１参照）。
【０００３】
近年では、環境問題が大きな社会テーマとなっており、再生品を利用することは企業にとって大きなイメージアップにつながるようになってきている。例えば、スーパーマーケット等の商店では、買い物袋に再生品を使用することによりイメージアップを図っている。
【０００４】
【特許文献１】特開平１０−３０７９６９号公報
【発明の開示】
【発明が解決しようとする課題】
【０００５】
ＰＯＳ端末やＥＣＲ等の商品販売データ処理装置において使用するレシート用紙にも再生品である再生紙からできたレシート用紙があり、この再生紙からできたレシート用紙を使用していることを、顧客に対して積極的にアピールしてイメージアップを図ることにより、顧客から信頼を得ることができ、これが商品の売り上げの向上につながることとなる。
【０００６】
本発明の目的は、レシート用紙が再生紙であることを積極的に顧客にアピールすることができる商品販売データ処理装置を得ることである。
【課題を解決するための手段】
【０００７】
本発明は、レシート用紙に当該レシート用紙が再生紙である旨の再生紙情報を印字部に印字させる再生紙情報印字手段を備える。
【発明の効果】
【０００８】
本発明によれば、レシート用紙に当該レシート用紙が再生紙である旨の再生紙情報を印字部に印字させる再生紙情報印字手段を備えることにより、再生紙情報が印字されたレシートが発行されるので、レシート用紙が再生紙であることを顧客に積極的にアピールすることができる。
【発明を実施するための最良の形態】
【０００９】
本発明の第一の実施の形態を図１ないし図８に基づいて説明する。本実施の形態は、商品販売データ処理装置としてＰＯＳ端末への適用例である。ここで、図１は本実施の形態のＰＯＳ端末を概略的に示す外観斜視図、図２はＰＯＳ端末の内部構造を概略的に示す縦断側面図である。
【００１０】
図１及び図２に示すように、ＰＯＳ端末１は、引出し２が設けられたドロワ３上に載置されており、商品販売データ処理を実行し、このドロワ３の引出し２の開閉を制御する。
【００１１】
ＰＯＳ端末１の本体４の前方右側には、入力装置であるキーボード５が配置され、キーボード５の後方には、図示しない鍵により登録・設定・精算等の動作モードを切替自在に設定するモード切替スイッチ６が配置されている。本体４の後方右側にはキャッシャ用表示器７が配置され、キャッシャ用表示器７の後方には、客用表示器８が配置されている。そして、本体４の後方左側にはレシート発行口９が形成されたプリンタ１１カバー１０が本体４に対して着脱自在に設けられている。このプリンタ１１カバー１０を開放するとＰＯＳ端末１に内蔵されたプリンタ１１を露出させることが可能となる。さらに、ＰＯＳ端末１には、光学的読取装置であるコードスキャナ１２が接続されている。
【００１２】
次に、プリンタ１１を図２に基づいて説明する。プリンタ１１は、商品販売データ処理に伴い、取引単位でレシート用紙Ａに取引明細を印字してレシートＲ（図８参照）として発行するものであり、プリンタ１１には、その後方に位置させてレシート用紙Ａを収納する投げ込み式の用紙収納部１３が設けられている。本実施の形態で使用されるレシート用紙Ａはロール状に巻回されたロール紙である。
【００１３】
プリンタ１１には、その前方であって用紙収納部１３より上方に位置させて印字部１５が配置されている。印字部１５には、図示しないモータに駆動されて回転しレシート用紙Ａを搬送するプラテン１６と、そのプラテン１６に対向しレシート用紙Ａの表面に所定事項を印字するサーマルヘッド１７とが設けられている。
【００１４】
そして、プリンタ１１には、用紙収納部１３を始点とし印字部１５を経由してレシート発行口９に至る用紙経路１８が形成されている。レシート発行口９の用紙経路１８の用紙搬送方向上流側には、レシート用紙Ａを切断するカッタ（図示せず）が設けられている。
【００１５】
プリンタ１１には、プリンタ１１内の用紙の有無を検知する反射型センサ１４が用紙経路１８に対向するように設けられている。
【００１６】
このようなＰＯＳ端末１の電装系は図３に示すように構成されている。ＰＯＳ端末１は、各種演算や各部の集中的に制御を実行するＣＰＵ（Central Processing Unit）１９ａ、コンピュータプログラムなどを格納するＲＯＭ（Read Only Memory）１９ｂ、各種データを書き換え自在に格納するワークエリアとして機能するＲＡＭ（Random Access Memory）１９ｃ等で構成される制御部１９を備えている。この制御部１９には、バスライン２０を介して、バスフラッシュメモリ等で構成されたメモリ部２１、図示しないホストコンピュータなどの外部の電子機器との間でデータ通信を実行する通信インタフェース２２が接続されている。
【００１７】
メモリ部２１には、商品マスタファイル、電子ジャーナルとして機能するジャーナルファイル、各種画像ファイル、レシートＲの書式データであるレシートフォーマット等が格納されている。
【００１８】
また、制御部１９には、バスライン２０及びＩ／Ｏ機器２６を介して、前述したキーボード５、モード切替スイッチ６、キャッシャ用及び客用表示器７，８、コードスキャナ１２、プリンタ１１が接続されている。また、制御部１９には、Ｉ／Ｏ機器２６を介してドロワ３も接続されている。
【００１９】
キーボード５は、各種キーによって情報を選択的に入力可能であり、操作されたキーに応じた信号を制御部１９に入力する。コードスキャナ１２は、画像であるバーコードや２次元コード等のコードを光学的に読み取り、読み取ったコードデータを制御部１９に入力する。
【００２０】
このようなＰＯＳ端末１に使用される未使用のレシート用紙Ａには、例えば、その先端部にレシート用紙Ａが再生紙である旨の情報が印刷されている。なお、このような情報は、レシート用紙Ａを包装する包装紙や包装箱等に印刷されていても良い。
【００２１】
次に制御部１９のＣＰＵ１９ａがコンピュータプログラムに基づいて実行するレシートフォーマット設定処理を図４ないし図６に基づいて説明する。ここで、図４はレシートフォーマット設定処理の流れを示すフローチャート、図５はレシートフォーマット設定処理における再生紙情報設定処理の流れを示すフローチャート、図６は印字位置指定画面５０を示す模式図である。
【００２２】
まず、レシート用紙Ａがプリンタ１１にセットされていなかったり、レシート用紙Ａが使用されて無くなったりして、反射型センサ１４がレシート用紙Ａの無しを検知した場合には（ステップＳ１のＹ）、レシート用紙Ａが無い旨を報知する（ステップＳ２）。この報知は、例えば、キャッシャ用表示器７にレシート用紙Ａが無い旨のコメントを表示することによりなされる。そして、レシート用紙Ａが補充されるまで待機する（ステップＳ３のＮ）。
【００２３】
レシート用紙Ａが補充され反射型センサ１４がレシート用紙Ａの有りを検知した場合には（ステップＳ３のＹ）、レシート用紙Ａに再生紙情報６６（図８参照）を印字するか否かを判断するために、レシート用紙Ａの種類（再生紙又は通常紙）をキー入力するよう求めるガイダンスを表示する（ステップＳ４）。ここで、通常紙とは新品の紙によりできたものである。ガイダンスは、例えば、「レシート用紙が再生紙の場合は“１”、レシート用紙が通常紙の場合は“０”を押してください。」である。本実施の形態ではレシート用紙Ａの種類を表すこれらの数字データ“１”“０”がレシート用紙Ａに再生紙情報６６を印字するか否かを指定するための指定情報となる。そして、レシート用紙Ａの種類を表す数字データが入力されるまで待機する（ステップＳ５のＮ）。
【００２４】
キャッシャの操作によりキーボード５からの数字データの入力が有ったと判断した場合には（ステップＳ５のＹ）、その入力された数字データを取得する（ステップＳ６、取得手段）。そして、取得した数字データに基づいてレシート用紙Ａに再生紙情報６６を印字するか否かを判断する。具体的には取得した数字データが“１”であるか“０”であるかを判断する（ステップＳ７、判断手段）。取得した数字データが“１”であった場合には（ステップＳ７のＹ）、レシート用紙Ａが再生紙であるので、レシート用紙Ａに再生紙情報６６を印字するための設定処理を行う（ステップＳ８）。
【００２５】
このステップＳ８における再生紙情報設定処理を図５に示すフローチャートに基づいて説明する。まず、レシートＲにおける再生紙情報６６の印字位置をキャッシャに選択させるために、キャッシャ用表示器７に図６に示すような印字位置指定画面５０を表示させる（ステップＳ１１）。この印字位置指定画面５０はメモリ部２１に記憶されているものである。印字位置指定画面５０では、再生紙情報６６の印字位置としてレシート用紙Ａの表面に例えば５箇所を指定可能としており、それぞれの場所には印字位置イメージ５１が位置番号とともに表示されている。これらの印字位置は、店情報領域や明細印字領域等の他の印字領域に重ならないように設定されている。また、この印字位置指定画面５０には、再生紙情報６６の印字位置を番号で指定することを求めるガイダンス５２が表示されている。そして、印字位置の指定が入力されるまで待機する（ステップＳ１２（印字位置受付手段）のＮ）。
【００２６】
キャッシャの操作によりキーボード５からの番号（“１”から“５”のうちの一つ）の入力による印字位置の指定が有った場合には（ステップＳ１２のＹ）、メモリ部２１に記憶されているレシートフォーマットにおいてその位置番号に対応した印字位置に再生紙情報６６を設定する（ステップＳ１３）。
【００２７】
一方、図４に示すステップＳ５で入力されステップＳ６で取得した数字データが“０”であった場合には（ステップＳ７のＮ）、レシート用紙Ａは通常紙であり再生紙ではないことから再生紙情報を印字しないので、レシートフォーマットを再生紙情報６６の設定が無い状態にして処理を終了する。
【００２８】
次に制御部１９のＣＰＵ１９ａがコンピュータプログラムに基づいて実行する商品販売データ処理を図７及び図８に基づいて説明する。ここで、図７は商品販売データ処理の流れを示すフローチャート、図８は再生紙情報が印字されたレシートを示す正面図である。
【００２９】
商品に付されたバーコード等の商品コードがＰＯＳ端末１のコードスキャナ１２によって読み取られると、ＰＯＳ端末１は読み取った商品コードに基づいてメモリ部２１に記憶されている商品マスタファイルを検索し、該当する商品コードに対応した商品名や単価等を読み出し、商品コード及び読み出した商品名や単価等に基づいて売上登録する（ステップＳ１５）。
【００３０】
そして、部門別登録や売上合計金額の算出やキャッシャ用及び客用表示器７，８への表示、ドロワ３の引出し２の開放などの各種の後処理を実行し（ステップＳ１６）、プリンタ１１にレシートＲの印字発行を実行させる（ステップＳ１７）。このステップＳ１７のレシートＲの印字発行において、レシートフォーマットに再生紙情報６６が設定されている場合には、プリンタ１１にその再生紙情報６６をレシート用紙Ａの指定された印字位置に印字させる。ここに、再生紙情報印字手段の機能が実行される。このようにして再生紙情報６６が印字されて発行されたレシートＲの一例を図８に示す。このレシートＲの表面には、店舗情報６１、発行日６２、ＰＯＳ端末番号６３、取引明細６４、取引番号６５等とともに、再生紙情報６６（図示例では「このレシートは再生紙を使用しています」）が印字されている。図８では、再生紙情報６６が取引明細６４の下側に印字された例を示している。
【００３１】
以上説明したように、本実施の形態では、再生紙情報６６が印字されたレシートＲが発行されるので、レシート用紙Ａが再生紙であることを顧客に積極的にアピールすることができる。これにより、顧客から信頼を得ることができ、商品の売り上げの向上を図ることができる。
【００３２】
レシート用紙Ａに再生紙情報６６を印字する方法としは、レシート用紙Ａの製造時にレシート用紙Ａに印字する方法も考えられるが、この場合には、レシートＲの他の印字（取引明細６４など）と重なってしまうことが考えられ、レシートＲが見づらくなってしまうという問題がある。その点、本実施の形態では、再生紙情報６６が他の印字と重ならないように、レシートフォーマットが設定されるので、レシートＲが見やすくなる。
【００３３】
このように本実施の形態においては、再生紙情報６６を印字するか否かを指定するための指定情報を取得する取得手段と、取得した指定情報に基づいて再生紙情報６６を印字するか否かを判断する判断手段と、を備え、再生紙情報印字手段は、判断手段が再生紙情報６６を印字すると判断した場合に再生紙情報６６を印字することにより、例えば判断手段が設けられていない場合にはレシート用紙Ａは再生紙のものしか使用できないが、本実施の形態においては、再生紙ではない通常紙を使用した場合には再生紙情報６６が印字されないので、再生紙に限らず通常紙のレシート用紙Ａも使用することができる。
【００３４】
また、本実施の形態においては、取得手段は、指定情報を入力可能な入力装置であるキーボード５を用いて指定情報を取得することにより、キャッシャが容易に指定情報の入力操作を行うことができる。
【００３５】
また、本実施の形態においては、再生紙情報印字手段は、再生紙情報６６をレシート用紙Ａの商品販売データ処理に基づく情報が印字される面に印字することにより、レシートＲを見る顧客の目に再生紙情報６６が自然に入るようになるので、レシート用紙Ａが再生紙であることをより効果的にアピールすることができる。なお、レシート用紙Ａの裏面に再生紙情報６６を印字することも考えられるが、この場合には、顧客がその再生紙情報６６に気づかない可能性が大きくなり、レシート用紙Ａが再生紙であることのアピールが弱いものとなってしまう。
【００３６】
また、本実施の形態においては、再生紙情報６６の印字位置の指定を受け付ける印字位置受付手段を備え、再生紙情報印字手段は、指定された印字位置に再生紙情報６６を印字することにより、店舗側の考えにより再生紙情報６６の印字位置を決定することができ、店舗側の考えを反映させることができる。
【００３７】
なお、本実施の形態では、サーマルヘッド１７を有する印字部１５によって再生紙情報６６をレシート用紙Ａに印字する例を示したが、これに限るものではなく、例えば、スタンプを備える周知のスタンプ装置によって再生紙情報６６をレシート用紙Ａに印字しても良い。この場合は、スタンプ装置が印字部として機能する。
【００３８】
また、本実施の形態では、レシート用紙Ａとしてロール状のものを例に説明したが、これに限るものではなく、例えば、つづら折りに折り畳まれたレシート用紙であってもよい。
【００３９】
次に、本発明の第二の実施の形態を図９及び図１０に基づいて説明する。必要に応じて他の図面も適宜参照する。なお、前述した第一の実施の形態と同じ部分は同一符号で示し説明も省略する（以降の実施の形態も同じ）。ここで、図９は本実施の形態のメモリ部に設けられたレシート用紙情報テーブルを示す模式図である。
【００４０】
本実施の形態は、レシート用紙Ａに再生紙情報６６を印字するか否かを指定するための指定情報が、レシート用紙Ａを識別するための識別情報である点、及び、その型番に基づいて再生紙情報６６を印字するか否かを判断する点が第一の実施の形態とは異なる。
【００４１】
本実施の形態のメモリ部２１には、図９に示すようなレシート用紙情報テーブル７１が設けられている。このレシート用紙情報テーブル７１には、レシート用紙Ａの識別情報である型番毎にそのレシート用紙Ａの用紙種類（再生紙又は通常紙）が記憶されている。型番は、レシート用紙Ａの種類を示すものであり数字情報で表されている。
【００４２】
本実施の形態に使用される未使用のレシート用紙Ａには、例えば、その先端部に型番が印刷されている。型番は、数字で表されていても良いし、コードシンボル化された画像であるバーコードや２次元コードとして表示されていても良い。なお、このような型番情報は、レシート用紙Ａを包装する包装紙や包装箱等に印刷されていても良い。
【００４３】
次に、本実施の形態の制御部１９のＣＰＵ１９ａがコンピュータプログラムに従って行うレシートフォーマット設定処理を図１０に基づいて説明する。ここで、図１０はレシートフォーマット設定処理の流れを示すフローチャートである。
【００４４】
まず、第一の実施の形態と同様にステップＳ１〜ステップＳ３までの処理を行う。そして、レシート用紙Ａが補充され反射型センサ１４がレシート用紙Ａの有りを検知した場合には（ステップＳ３のＹ）、コードスキャナ１２やキーボード５によるレシートＲの識別情報（本実施の形態では型番）の入力を求める旨のガイダンスをキャッシャ用表示器７に表示させる（ステップＳ２１）。そして、レシート用紙Ａの識別情報（型番）が入力されるまで待機する（ステップＳ２２のＮ）。
【００４５】
ここで、型番が数字で表されている場合には、キャッシャはその数字をキーボード５を操作することにより入力すればよく、型番がバーコードや２次元コードとして表示されている場合には、キャッシャはコードスキャナ１２によりそのコードに対する読み取り操作を実行すればよい。
【００４６】
キャッシャの操作によりキーボード５やコードスキャナ１２からのレシート用紙Ａの識別情報（型番）の入力が有ったと判断した場合には（ステップＳ２２のＹ）、その入力されたレシート用紙Ａの識別情報（型番）を取得する（ステップＳ２３、取得手段）。
【００４７】
そして、取得した識別情報（型番）に対応するレシート用紙Ａの種類（再生紙／通常紙）をレシート用紙情報テーブル７１を参照して取得し（ステップＳ２４）、レシート用紙Ａが再生紙であるか否かを判断する（ステップＳ２５）。この判断が、レシート用紙Ａに再生紙情報６６を印字するか否かの判断となる。ここに、ステップＳ２４及びステップＳ２５によって判断手段の機能が実行される。
【００４８】
レシート用紙Ａが再生紙であると判断した場合には（ステップＳ２５のＹ）、ステップＳ８に進み、レシート用紙Ａに再生紙情報６６を印字するための再生紙情報設定処理を行う。
【００４９】
一方、ステップＳ２５において、レシート用紙Ａは再生紙ではなく通常紙であると判断した場合には（ステップＳ２５のＮ）、レシートフォーマットを再生紙情報６６の設定が無い状態にして処理を終了する。
【００５０】
このような処理により、レシートフォーマットが設定される。そして、レシートＲの印字発行において、レシートフォーマットに再生紙情報６６が設定されている場合には、前述した実施の形態と同様に再生紙情報６６がレシート用紙Ａの指定位置に印字され、そのレシート用紙ＡがレシートＲとして発行される。
【００５１】
以上説明したように、本実施の形態では、指定情報に基づいてレシート用紙Ａが再生紙であるか否かを判断し、レシート用紙Ａが再生紙であると判断した場合に再生紙情報６６を印字するので、キャッシャがレシート用紙Ａが再生紙であるか否かを把握する必要が無い。
【００５２】
なお、本実施の形態では、レシート用紙Ａの識別情報として型番を例に説明したが、これに限るものではなく、レシート用紙Ａ毎に固有に付されるＩＤ番号であってもよい。
【００５３】
また、本実施の形態では、レシート用紙Ａに再生紙情報６６を印字するか否かを指定するための指定情報の画像として、レシートＲの識別情報である型番をコード化したバーコードや２次元コードを例に説明したが、指定情報を表す画像としてはこれに限るものではない。指定情報を表す画像としては、文字や数字や記号等を用いてもよい。この場合には、光学的に画像の読み取りが可能なＯＣＲ（Optical Character Reader）を設け、レシート用紙情報テーブル７１に代えて画像が示すレシート用紙Ａの種類（再生紙／通常紙）を記憶しているテーブルを設ければよい。そしてＯＣＲにより指定情報を表す画像を読み取り制御部１９に入力することにより、上述したレシートフォーマット設定処理を同様に実行することができる。これにより、上述したように型番が数字で表示されている場合にはＯＣＲによりその型番の数字を読み取りレシートフォーマット設定処理を実行することもできる。
【００５４】
このように、本実施の形態においては、指定情報は、画像で表されており、取得手段は、画像を光学的に読み取り可能な光学読取装置であるコードスキャナ１２を用いて指定情報を取得することにより、指定情報の形式を広げることができる。
【００５５】
また、本実施の形態においては、指定情報は、レシート用紙Ａを識別するための識別情報（例えば、型番）であることにより、従来から使用されている識別情報を使用することができ、指定情報を特別に用意する必要がない。
【００５６】
次に、本発明の第三の実施の形態を図１１及び図１２に基づいて説明する。ここで、図１１は本実施の形態のＰＯＳ端末の電装系の構成を示すブロック図である。
【００５７】
本実施の形態は、前述した第二の実施の形態に対して指定情報であるレシート用紙Ａの識別情報（型番）の入力方法が異なる。
【００５８】
本実施の形態で使用されるレシート用紙Ａには、図示しない無線タグがレシート用紙Ａシート用に一体に設けられている。具体的には、この無線タグは、ロール状のレシート用紙Ａの最も内側となるレシート用紙Ａの後端部に設けられている。なお、レシート用紙Ａが芯にロール状に巻回されたいわゆる芯付レシート用紙である場合には、無線タグは芯に取り付けられていても良い。
【００５９】
無線タグは、ＣＰＵや不揮発性のメモリ部等から構成されるＩＣチップと、コイルアンテナとを備えており、コイルアンテナに誘導起電力を発生させることによりＩＣチップに対するデータの無線による送受信が可能な構成になっている。無線タグのメモリ部には、当該無線タグが取り付けられているレシート用紙Ａの識別情報（型番）が記憶されている。このような無線タグとしては、静電結合方式、電磁結合方式、電磁波誘導方式、マイクロ波方式等、いずれの方式であってもよい。
【００６０】
図１１に示すように、本実施の形態のＰＯＳ端末１には、通信装置である無線タグリーダライタ８１がバスライン２０を介して制御部１９に接続されている。無線タグリーダライタ８１は無線タグに対する読み取り及び書き込みを電磁誘導により行ない、読み込んだデータを制御部１９に入力する。
【００６１】
次に、本実施の形態の制御部１９のＣＰＵ１９ａがコンピュータプログラムに従って行うレシートフォーマット設定処理を図１２に基づいて説明する。ここで、図１２はレシートフォーマット設定処理の流れを示すフローチャートである。
【００６２】
まず、第二の実施の形態と同様にステップＳ１〜ステップＳ３までの処理を行う。そして、レシート用紙Ａが補充され反射型センサ１４がレシート用紙Ａの有りを検知した場合には（ステップＳ３のＹ）、レシート用紙Ａの識別情報（型番）が入力されるまで待機する（ステップＳ３１のＮ）。この入力は、レシート用紙Ａに取り付けられた無線タグに記憶されているレシート用紙Ａの識別情報（型番）を読み取った無線タグリーダライタ８１により行われる。
【００６３】
無線タグリーダライタ８１によりレシート用紙Ａの識別情報（型番）の入力が有ったと判断した場合には（ステップＳ３１のＹ）、第二の形態と同様に、ステップＳ２３、ステップＳ２４、ステップＳ２５及びステップＳ８の処理を行い、レシートフォーマットを設定する。
【００６４】
このような処理の後、レシートＲの印字発行において、レシートフォーマットに再生紙情報６６が設定されている場合には、前述した実施の形態と同様に再生紙情報６６がレシート用紙Ａの指定位置に印字され、そのレシート用紙ＡがレシートＲとして発行される。
【００６５】
なお、本実施の形態では、無線タグのメモリ部に指定情報としてレシート用紙Ａの識別情報が記憶されている例を示したが、これに限るものではなく、無線タグのメモリ部には指定情報としてレシート用紙Ａの用紙情報（再生紙／通常紙）を記憶させても良い。この場合には、レシートフォーマット設定処理において、識別情報に代えて無線タグに記憶されている指定情報である用紙情報が適用される。そして、その用紙情報に基づいて各処理を実行すれば良い。
【００６６】
このように、本実施の形態においては、指定情報は、レシート用紙Ａに一体に設けられた無線タグに記憶されており、取得手段は、無線タグとの間で無線通信可能な通信装置である無線タグリーダライタ８１を用いて指定情報を取得することにより、無線タグリーダライタ８１によって指定情報が制御部１９に入力されるので、キャッシャが指定情報の入力操作を行う必要がなく、キャッシャの負担を軽減することができる。また、キャッシャによる指定情報の入力操作がないので、指定情報の入力ミスが防止され、これにより、レシート用紙Ａが再生紙である場合にのみ確実に再生紙情報６６を印字することができる。
【００６７】
次に、本発明の第四の実施の形態を図１３ないし図１９に基づいて説明する。
【００６８】
図１３は、本実施の形態のレシートＲの一例を示す正面図である。本実施の形態は、図１３に示すように、再生紙情報６６を明細印字エリアなどの取引情報などに重ねて印字したレシートＲを発行する点が前述した実施の形態に対して異なる。本実施の形態の再生紙情報６６は、再生紙である旨を表すマークである再生紙マークが採用されている。
【００６９】
本実施の形態のプリンタ１１は、二色で印字が可能な二色発色感熱印字媒体である加色型の二色発色感熱紙（以下、二色発色感熱紙という。）をレシート用紙に使用する。本実施の形態では、二色として青色（第一の色）と黒色（第二の色）とを例に説明する。
【００７０】
二色発色感熱紙は、原紙の上に黒色の発色層、さらにその上に青色の発色層を順に積層させた構造とされている。“青色”は“黒色”に比べて低いエネルギーＥ１が印加された場合に発色し、“黒色”はその“青色”が発色する印字エネルギーより大きなエネルギーＥ２が印加された場合に“青色”に重なって発色することになる。
【００７１】
サーマルヘッド１７について詳しく説明する。サーマルヘッド１７は、プラテン１６に対向接触する部分に多数の発熱素子１７ａ（図１４参照）をライン方向（レシート用紙Ａの搬送方向に対して直交する方向）に一列に配列したライン型である。詳細については後述するが、このようなサーマルヘッド１７においては、それらの発熱素子１７ａのヘッド抵抗値の仕様が適用されるＰＯＳ端末等の仕様に応じて選択可能とされている。そして、サーマルヘッド１７は、ＣＰＵ１９ａからの印字データ（ＤＡＴＡ）、クロック信号（ＣＬＯＣＫ）、ストローブ信号（ＳＴＲＯＢＥ）、ラッチ信号（ＬＡＣＨ）、ゲート信号（ＧＡＴＥ）の各信号に基づき駆動される。クロック信号（ＣＬＯＣＫ）は、印字動作の基本信号である。ラッチ信号（ＬＡＣＨ）は、印字に際しての印字データのラッチに用いられる信号である。ゲート信号（ＧＡＴＥ）は、サーマルヘッド１７の蓄熱による温度上昇を制限するための履歴制御を行うための信号である。
【００７２】
図１４はサーマルヘッド駆動回路９１の構成を示す回路図である。サーマルヘッド１１は、サーマルヘッド駆動回路９１を介して前述したＩ／Ｏ機器２６に接続されている。サーマルヘッド駆動回路９１は、ＣＰＵ１９ａの命令によってサーマルヘッド１７を駆動する。図１４に示すように、本実施の形態においては、印字データ（ＤＡＴＡ）及びストローブ信号（ＳＴＲＯＢＥ）はそれぞれ“黒色”と“青色”との２系統を有している。印字データ（ＤＡＴＡ）は、黒色印字データ（ＤＡＴＡ１）及び青色印字データ（ＤＡＴＡ２）とされている。ストローブ信号（ＳＴＲＯＢＥ）は、黒色ストローブ信号（ＳＴＲＯＢＥ１）及び青色ストローブ信号（ＳＴＲＯＢＥ２）とされている。ここで、黒色ストローブ信号（ＳＴＲＯＢＥ１）は、サーマルヘッド１７を長時間加熱してレシート用紙Ａ上に黒色印字するためのものであり、青色ストローブ信号（ＳＴＲＯＢＥ２）はサーマルヘッド１７を短時間加熱してレシート用紙Ａ上に青色印字するためのものであり、
ＳＴＲＯＢＥ１＞ＳＴＲＯＢＥ２
である。
【００７３】
また、点状の発熱素子１７ａが例えば５１２個配列されたサーマルヘッド１７には、印字データ（ＤＡＴＡ）に基づいて選択的にジュール発熱させる複数のドライバＩＣ（ＩＣ１〜ＩＣ８）が備えられている。各ドライバＩＣ（ＩＣ１〜ＩＣ８）は、印字データ（ＤＡＴＡ）を記憶するための６４ビット長のシフトレジスタ、印字データラッチのためのラッチ回路等で構成されている。このような各ドライバＩＣ（ＩＣ１〜ＩＣ８）には、印字データ（ＤＡＴＡ）、クロック信号（ＣＬＯＣＫ）、ラッチ信号（ＬＡＣＨ）、ゲート信号（ＧＡＴＥ）がそれぞれ入力する構成とされている。各ドライバＩＣ（ＩＣ１〜ＩＣ８）と対応する各６４個の発熱素子１７ａとの間には、アンドゲートＡＮＤやオアゲートＯＲ等からなる論理回路が設けられている。そして、各ドライバＩＣ（ＩＣ１〜ＩＣ８）は、ラッチ回路にラッチされている印字データ（ＤＡＴＡ）をストローブ信号（ＳＴＲＯＢＥ）に応じて出力し、対応する各６４個の発熱素子１７ａを通電駆動することになる。より具体的には、黒色印字データ（ＤＡＴＡ１）のみが入力された場合には、黒色ストローブ信号（ＳＴＲＯＢＥ１）に応じて発熱素子１７ａが通電駆動されることになる。青色印字データ（ＤＡＴＡ２）のみが入力された場合には、青色ストローブ信号（ＳＴＲＯＢＥ２）に応じて発熱素子１７ａが通電駆動されることになる。黒色印字データ（ＤＡＴＡ１）と青色印字データ（ＤＡＴＡ２）とが同時に入力された場合には、黒色ストローブ信号（ＳＴＲＯＢＥ１）に応じて発熱素子１７ａが通電駆動されることになる。これにより、二色発色感熱紙であるレシート用紙Ａに“黒色”と“青色”の印字を１ライン中で併せて行うことが可能になっている。
【００７４】
また、サーマルヘッド１７のヘッド基板にはサーミスタＴが取り付けられており、このサーミスタＴによる検出信号（ヘッド温度情報）はＡ／Ｄ変換器（図示せず）を介してデジタル値としてＣＰＵ１９ａに取り込まれるように接続されている。
【００７５】
図１５はＲＯＭ１９ｂ中の記憶エリアを示す説明図である。図１５に示すように、ＲＯＭ１９ｂには、プログラム記憶エリア９２ａ、テーブルその他の記憶エリア９２ｂ、サーミスタ値別ヘッド通電テーブル記憶エリア９２ｃが確保されている。プログラム記憶エリア９２ａは、制御プログラム等を格納するエリアである。テーブルその他の記憶エリア９２ｂは、サーマルヘッド１７のヘッド抵抗値ランクテーブル９３（図１６参照）等を格納するエリアである。サーミスタ値別ヘッド通電テーブル記憶エリア９２ｃは、サーミスタ値別ヘッド通電テーブル９２ｄをヘッド抵抗値ランク別に格納するエリアである。ここで、図１６はヘッド抵抗値ランクテーブル９３を示す説明図である。図１６に示すように、ヘッド抵抗値ランクテーブル９３は、ヘッド抵抗値の範囲を１〜１６なる１６段階のランクに渡って用意したものである。何れのヘッド抵抗値ランクを使用するかはジャンパ（図示せず）によって予め設定される。
【００７６】
また、サーミスタ値別ヘッド通電テーブル９２ｄは、サーミスタＴにより検出された温度情報に対応するサーマルヘッド１７の発熱素子１７ａへの二色分（黒色ストローブ信号（ＳＴＲＯＢＥ１）及び青色ストローブ信号（ＳＴＲＯＢＥ２））の通電パルス幅が予め設定されたものであり、ヘッド抵抗値ランク１〜１６の１６段階分のテーブルが用意されている。図１５（ｂ）に、例えばランク１のサーミスタ値別ヘッド通電テーブル９２ｄの設定内容の一例を模式的に例示する。温度ランク０〜Ｆに示す各ヘッド温度範囲別に設定される黒色の通電パルス幅及び青色の通電パルス幅の各通電幅データは、ヘッド温度に対して反比例するように設定されている。なお、図中では、全てのパルス幅を０．ＺＺＺで示しているが、実際には、ヘッド温度に対して反比例する値が設定されている。このように設定することにより、サーマルヘッド１７の温度変動によって印字濃度にムラが発生しにくくなっている。
【００７７】
図１７はＲＡＭ１９ｃ中の記憶エリアを示す説明図である。図１７に示すように、ＲＡＭ１９ｃには、展開エリア９４ａ、印字バッファ９４ｂ、編集バッファ９４ｃ、ポインタエリア９４ｄ、フラグエリア９４ｅ等が確保されている。展開エリア９４ａは、サーマルヘッド１７のヘッド抵抗値ランクに対応したサーミスタ値別ヘッド通電テーブル９２ｄを展開するためのエリアである。印字バッファ９４ｂは、文字データを一時格納するためのバッファである。編集バッファ９４ｃは、印字バッファ９４ｂに格納した文字データと再生紙情報６６とで構成される印字データをドット展開するためのバッファである。ここで、文字データとして扱うデータは、詳しくは後述するが、商品販売データ処理に基づく取引情報などの情報である。
【００７８】
図１８は再生紙情報を示す模式図である。メモリ部２１には、図１８に示すイメージデータ記憶エリア２１ａがデータファイルとして確保されている。このイメージデータ記憶エリア２１ａには、例えば、イメージデータである再生紙情報（本実施の形態では再生紙マーク）６６が格納されている。このイメージデータ記憶エリア２１ａは、例えば、通常の行単位のテキストデータ（文字データ）に比してＮ行分に渡って再生紙情報６６をドットデータとして展開させた大きめのエリアとされている。また、この再生紙情報６６には、青色印字データ（ＤＡＴＡ２）であることを示す属性コード（色データ）も付与されている。
【００７９】
次に、ＣＰＵ１９ａがコンピュータプログラムに基づいて実行する商品販売データ処理を説明する。この商品販売データ処理の基本的な流れは図７で示した処理と同様である。
【００８０】
本実施の形態では、図７に示したステップＳ１５の売上登録処理において、この処理で得られた商品名、単価、部門コード等で構成される売上登録データを印字バッファ９４ｂに文字データとして記憶させる。また、この文字データに、黒色印字データ（ＤＡＴＡ１）であることを示す属性コード（色データ）も付与する。
【００８１】
また、ステップＳ１６において、この処理で得られた売上合計金額等の締めデータを印字バッファ９４ｂに文字データとして記憶させる。この文字データに、黒色印字データ（ＤＡＴＡ１）であることを示す属性コード（色データ）も付与する。ここで、売上合計金額は、売上登録データとともに当該取引の取引情報を構成する。
【００８２】
続くステップＳ１７においては、メモリ部２１に記憶されている再生紙情報６６（図１８参照）がプリンタ１１に出力されて印字されるとともに、印字バッファ９４ｂに記憶された各種の文字データも印字データとしてプリンタ１１に出力されて印字される印字発行処理が実行される。
【００８３】
図１９は印字発行処理の流れを概略的に示すフローチャートである。印字発行処理について詳細に説明する。印字発行処理は、まず、ジャンパによって設定されたサーマルヘッド１７のヘッド抵抗値ランクを読み取ってヘッドランクを判別する（ステップＳ４１）。そして、ＲＯＭ１９ｂのサーミスタ値別ヘッド通電テーブル記憶エリア９２ｃから該当するヘッドランクのサーミスタ値別ヘッド通電テーブル９２ｄを展開エリア９４ａに展開して設定する（ステップＳ４２）。例えば、サーマルヘッド１７のヘッド抵抗値ランクがランク１であれば、図１５（ｂ）に示したような情報が展開エリア９４ａに展開されて設定される。
【００８４】
続くステップＳ４３においては、まず、サーミスタＴによってヘッド温度を検出する。そして、ＲＡＭ１９ｃの展開エリア９４ａに設定されているサーミスタ値別ヘッド通電テーブル９２ｄを参照してサーミスタＴによって検出したヘッド温度が含まれている温度ランクに対応した黒色及び青色の通電パルス幅を読み込む。そして、それらの通電パルス幅を黒色ストローブ信号（ＳＴＲＯＢＥ１）及び青色ストローブ信号（ＳＴＲＯＢＥ２）としてそれぞれ出力する。
【００８５】
次に、ステップＳ４４において、印字バッファ９４ｂに記憶されている文字データを編集バッファ９４ｃに順にドット展開し、印字データを生成する。
【００８６】
続く、ステップＳ４５においては、メモリ部２１に記憶されている再生紙情報６６を１行毎に分割して編集バッファ９４ｃに順にドット展開し、印字データを生成する。
【００８７】
そして、ステップＳ４６において、編集バッファ９４ｃにドット展開された各印字データを印字色（発色色）を示す属性コード（色データ）に応じて黒色印字データ（ＤＡＴＡ１）又は青色印字データ（ＤＡＴＡ２）として各々１行分出力する。これにより、黒色印字データ（ＤＡＴＡ１）又は青色印字データ（ＤＡＴＡ２）が出力されたサーマルヘッド１７の各発熱素子１７ａがそれぞれ黒色ストローブ信号（ＳＴＲＯＢＥ１）又は青色ストローブ信号（ＳＴＲＯＢＥ２）の通電パルス幅だけ駆動されるとともに、レシート用紙Ａがレシートモータ２５の駆動によって紙送りされる。これにより、レシート用紙Ａへの印字が行われる。なお、サーマルヘッド１７の同一の発熱素子１７ａに黒色印字データ（ＤＡＴＡ１）及び青色印字データ（ＤＡＴＡ２）が出力された場合には、
ＳＴＲＯＢＥ１＞ＳＴＲＯＢＥ２
であることから、黒色ストローブ信号（ＳＴＲＯＢＥ１）に基づく黒色印字データ（ＤＡＴＡ１）の文字データが青色ストローブ信号（ＳＴＲＯＢＥ２）に基づく青色印字データ（ＤＡＴＡ２）の再生紙情報６６に重なって発色することになる。
【００８８】
ステップＳ４４〜Ｓ４６の処理は、印字バッファ９４ｂに記憶されている文字データが全て印字される迄（ステップＳ４７のＹ）、繰り返される。ここに、ステップＳ４１〜Ｓ４７によって商品販売データ処理に基づく情報（例えば、取引情報）と再生紙情報６６とを重ねて印字させる再生紙情報印字手段の機能が実行される。
【００８９】
印字バッファ９４ｂに記憶されている文字データが全て印字された場合には（ステップＳ４７のＹ）、図示しないカッタによってレシート用紙Ａを切断して、レシートＲを発し（ステップＳ４８）、売上登録処理を終了する。図１３に示すように、このようにして発行されたレシートＲには、取引明細等が黒色で印字されるとともに、その背景にイメージデータである再生紙情報（再生紙マーク）６６が青色で繰り返し重ねて印字されることになる。
【００９０】
ここに、文字データと再生紙情報６６とが、プリンタ１１に対して同時に出力された場合であっても、文字データがエネルギーＥ２を印加することにより発色する黒色印字データ（ＤＡＴＡ１）であり、再生紙情報６６がエネルギーＥ１を印加することにより発色する青色印字データ（ＤＡＴＡ２）であることから、１ライン分の印字動作において文字データが再生紙情報６６に重なって発色・印字される。これにより、例えば再生紙情報６６が、文字データの印字の背景として高速で印字される。
【００９１】
このように、本実施の形態においては、再生紙情報印字手段は、商品販売データ処理に基づく情報（例えば、取引情報）と再生紙情報６６とを重ねて印字させることにより、再生紙情報６６を印字するための特段のスペースをレシートＲに必要としないので、レシート用紙Ａが再生紙である旨を、より省資源化に配慮した形で積極的に客にアピールすることができる。
【００９２】
また、本実施の形態においては、再生紙情報印字手段は、再生紙情報６６の印字色と、商品販売データ処理に基づく情報（例えば、取引情報）の印字色とを異ならせることにより、再生紙情報６６と、商品販売データ処理に基づく情報とが色で区別されているので、レシートＲが見やすくなる。
【００９３】
なお、本実施の形態では、二色発色感熱紙が発色する色を青色と黒色との組み合わせとしたが、これに限るものではなく、赤色と黒色との組み合わせ等であっても良い。
【００９４】
また、別の実施の形態として、再生紙情報６６と、商品販売データ処理に基づく情報（例えば、取引情報）との色を同じとして、それらの印字濃度を変えてもよい。この場合には、例えば、二色発色感熱紙の変形例として、原紙の上に濃い黒色の発色層、さらにその上に薄い黒色の発色層を順に積層させた構造のものを採用して上記の処理を実行する。これにより、再生紙情報６６が薄い黒で印字され、商品販売データ処理に基づく情報（例えば、取引情報）が濃い黒色で印字される。よって、再生紙情報６６と、商品販売データ処理に基づく情報とが濃淡で区別されているので、レシートＲが見やすくなる。
【図面の簡単な説明】
【００９５】
【図１】本発明の第一の実施の形態のＰＯＳ端末を概略的に示す外観斜視図である。
【図２】ＰＯＳ端末の内部構造を概略的に示す縦断側面図である。
【図３】ＰＯＳ端末の電装系の構成を示すブロック図である。
【図４】レシートフォーマット設定処理の流れを示すフローチャートである。
【図５】レシートフォーマット設定処理における再生紙情報設定処理の流れを示すフローチャートである。
【図６】印字位置指定画面を示す正面図である。
【図７】商品販売データ処理の流れを示すフローチャートである。
【図８】再生紙情報が印字されたレシートを示す正面図である。
【図９】本発明の第二の実施の形態のメモリ部に設けられたレシート用紙情報テーブルを示す模式図である。
【図１０】レシートフォーマット設定処理の流れを示すフローチャートである。
【図１１】本発明の第三の実施の形態のＰＯＳ端末の電装系の構成を示すブロック図である。
【図１２】レシートフォーマット設定処理の流れを示すフローチャートである。
【図１３】本発明の第四の実施の形態のレシートの一例を示す正面図である。
【図１４】サーマルヘッド駆動回路の構成を示す回路図である。
【図１５】ＲＯＭ中の記憶エリアを示す説明図である。
【図１６】ヘッド抵抗値ランクテーブルを示す説明図である。
【図１７】ＲＡＭ中の記憶エリアを示す説明図である。
【図１８】再生紙情報を示す模式図である。
【図１９】印字発行処理の流れを概略的に示すフローチャートである。
【符号の説明】
【００９６】
１…ＰＯＳ端末（商品販売データ処理装置）、５…キーボード（入力装置）、１２…コードスキャナ（光学読取装置）、１５…印字部、６６…再生紙情報、８１…無線タグリーダライタ（通信装置）、Ａ…レシート用紙、Ｒ…レシート、ステップＳ６…取得手段、ステップＳ７…判断手段、ステップＳ１２…印字位置受付手段、ステップＳ１７…再生紙情報印字手段、ステップＳ２３…取得手段、ステップＳ２４，ステップＳ２５…判断手段、ステップＳ４１〜Ｓ４７…再生紙情報印字手段
【図１】
2004303233.tif 000003
【図２】
2004303233.tif 000004
【図３】
2004303233.tif 000005
【図４】
2004303233.tif 000006
【図５】
2004303233.tif 000007
【図６】
2004303233.tif 000008
【図７】
2004303233.tif 000009
【図８】
2004303233.tif 000010
【図９】
2004303233.tif 000011
【図１０】
2004303233.tif 000012
【図１１】
2004303233.tif 000013
【図１２】
2004303233.tif 000014
【図１３】
2004303233.tif 000015
【図１４】
2004303233.tif 000016
【図１５】
2004303233.tif 000017
【図１６】
2004303233.tif 000018
【図１７】
2004303233.tif 000019
【図１８】
2004303233.tif 000020
【図１９】
2004303233.tif 000021